(57)【特許請求の範囲】
【請求項１】
前面が開口である箱形状のシェルフ内に、前面の開口側からモジュールが挿入されて、複数のモジュールがシェルフ内に横方向に並んで実装されている構成のシェルフ装置において、
上記各モジュールは、上記モジュールの下面に設けてある下側ガイドレールと上面に設けてある上側ガイドレールを有する構成であり、
該各モジュールは、その下側ガイドレールを隣のモジュールの下側ガイドレールに案内され且つその上側ガイドレールを隣のモジュールの上側ガイドレールに案内されて上記シェルフ内に挿入され、且つ、
各モジュールは、上記下側ガイドレール同士が嵌合し合って且つ上記上側ガイドレール同士が嵌合し合って上記シェルフ内で横方向に連結されている構成としたことを特徴とするシェルフ装置。
【請求項２】
請求項１記載のシェルフ装置において、
上記下側ガイドレールは、その一側に断面がＵ字形状のガイドレール部を有し、反対側に断面が逆Ｕ字形状のガイドレール部を有する構成であり、
上記上側ガイドレールは、上記下側ガイドレールのＵ字形状のガイドレール部の側に断面が逆Ｕ字形状のガイドレール部を有し、上記下側ガイドレールの逆Ｕ字形状のガイドレール部の側に逆Ｕ字形状のガイドレール部を有する構成としたことを特徴とするシェルフ装置。
【請求項３】
請求項１記載のシェルフ装置において、
上記シェルフ内に横架してあるレールと、
該レールに移動可能に支持されており、該モジュールに固定される固定具とを更に有し、
該固定具が、該レールに沿って上記シェルフ内に挿入されたモジュールの個所に移動されて、その位置で該モジュールに固定される構成としたことを特徴とするシェルフ装置。
【発明の詳細な説明】
【０００１】
【発明の属する技術分野】
本発明は通信システムの設備の一つであるシェルフ装置に係り、特に、分散補償ファイバを収容しているモジュールが実装された構造のシェルフ装置に関する。
【０００２】
IPトラフィックの急激な増加に伴い、伝送容量の拡大や長距離伝送による経済化が必須となっており、その要求を満たす手段として、WDM（Wavelength Division Multiplexing：波長分割多重）伝送システムを用いたフォトニックネットワークの構築が特に注目されている。
【０００３】
総伝送距離が数千kmに及ぶ長距離WDMネットワークにおいては、光ファイバの波長分散に起因した光波形劣化が長距離伝送を制限している。その波長分散を抑制する為、分散補償中継局が所定距離間隔で設置してある。分散補償中継局を所定距離間隔で設置することによって、一の電気再生中継器（Regenerator）と次の電気再生中継器との間の距離を長くすることが出来、設備費がかさむ電気再生中継器（Regenerator）の数が減り、コスト削減が図られる。
【０００４】
電気再生中継器を用いずに3000kmを超える伝送距離を目指す超長距離伝送（Ultra Long Haul）WDMシステムにおいては、図１に示すように、信号波長に応じた分散補償量を持つDCFモジュールを用いて補償量の高効率化を図る必要がある。
【０００５】
図１に示す分散補償中継局１０は、光伝送路λ１〜λｎ毎に別々のDCF（Dispersion Compensating Fiber：分散補償ファイバ）１１−１〜１１−ｎを備えた構成である。分散補償ファイバ１１−１〜１１−ｎは、夫々モジュール化され、分散補償ファイバモジュール１２−１〜１２−ｎが用意されている。この分散補償ファイバモジュール１２−１〜１２−ｎが箱形状のシェルフ１３の内部に並んで実装されており、分散補償ファイバモジュールシェルフ装置１４を構成している。
【０００６】
図１中、１５は受信アンプ、１６は分波フィルタ、１７は合波フィルタ、１８は送信アンプである。
【０００７】
光ファイバの分散量は光ファイバの材料や構造及び伝送距離に依存し、通信事業者によって敷設している光ファイバが異なることや、同じ種類の光ファイバであっても伝送距離は様々である為、DCFによる分散補償量はカスタム仕様となり、DCFモジュールも分散補償量に合わせて様々な種類が存在する。
【０００８】
分散補償量はDCFの長さがパラメータとなり、特に正の分散を補償する場合は、使用するDCFが持つ単位長さ当たりの補償量が少ない為、長いDCFが必要となる。それに従い、分散量が増加することによりDCFモジュールのサイズは大きくなる。
【０００９】
システム構成上においては、通信事業者の持つ伝送路に合わせた様々なDCFモジュールが必要となる為、DCFシェルフにはユニット幅の異なるDCFモジュールを効率よく収容できる実装構造が要求されている。
【００１０】
【従来の技術】
図２及び図３は従来の分散補償ファイバモジュールシェルフ装置２０を示す。シェルフ装置２０は、シェルフ２１に下側のガイドレール２２と上側のガイドレール２３とが設けてあり、サイズの異なる分散補償ファイバモジュール３０，４０，５０がガイドレール２２、２３に支持されて実装されている構造である。
【００１１】
シェルフ２１は、シェルフ本体２４と、ガイドレール２２、２３と、ねじ孔板２５，２６とを有する。
【００１２】
シェルフ本体２１は、前面が開口２２である直方体形状の箱であり、世界的な基準である所定の幅Ｗ１を有しており、所定の大きさを有する。下側のガイドレール２２及び上側のガイドレール２３はシェルフ本体２１に固定してあり、ピッチＰ１で並んでいる。下側のねじ孔板２５のねじ孔２８、上側のねじ孔板２６のねじ孔２９もピッチＰ２で並んでいる。
【００１３】
３０は第１のサイズの分散補償ファイバモジュールであり、ピッチＰ１と等しい幅Ａを有し、内部には所定の長さＬ１の分散補償ファイバ３１がリール３２に巻かれて収容されている。モジュール３０は、上面にレール３３、下面にレール３４を有し、且つ、前面のうち上側にフランジ３５、下側にフランジ３６を有し、且つ、前面の中央の段に光コネクタ３７を有する。フランジ３５、３６には夫々止めねじ３８，３９が付いている。
【００１４】
４０は第２のサイズの分散補償ファイバモジュールであり、第１のサイズの分散補償ファイバモジュール３０の幅Ａの２倍の幅２Ａを有し、内部には上記の長さ
Ｌ１より長い長さＬ２の分散補償ファイバ４１がリール４２に巻かれて収容されている。モジュール４０は、上記のモジュール３０と同じく、レール４３、４４、フランジ４５、４６、光コネクタ４７を有する。フランジ４５、４６には夫々止めねじ４８，４９が付いている。
【００１５】
５０は第３のサイズの分散補償ファイバモジュールであり、第１のサイズの分散補償ファイバモジュール３０の幅Ａの３倍の幅３Ａを有し、内部には上記の長さ
Ｌ２より長い長さＬ３の分散補償ファイバ５１がリール５２に巻かれて収容されている。モジュール５０は、上記のモジュール３０、４０と同じく、レール５３、５４、フランジ５５、５６、光コネクタ５７を有する。フランジ５５、５６には夫々止めねじ５８，５９が付いている。
【００１６】
６０は第４のサイズの分散補償ファイバモジュールであり、第１のサイズの分散補償ファイバモジュール３０の幅Ａの４倍の幅４Ａを有し、内部には上記の長さ
Ｌ３より長い長さＬ４の分散補償ファイバ６１がリール６２に巻かれて収容されている。モジュール６０は、上記のモジュール３０、４０、５０と同じく、レール６３、６４、フランジ６５、６６、光コネクタ６７を有する。フランジ６５、６６には夫々止めねじ６８，６９が付いている。
【００１７】
分散補償ファイバモジュールとしては、第１のサイズの分散補償ファイバモジュール３０の幅Ａの整数倍の幅のものが用意されている。
【００１８】
分散補償ファイバモジュール３０、４０、５０、６０は、夫々レール３４，４４，５４、６４をガイドレール２２に嵌合させて案内させて、且つレール３３，４３，５３、６３をガイドレール２３に嵌合させて案内させて、シェルフ本体２１内にＹ１方向に挿入される。分散補償ファイバモジュール３０、４０、５０、６０は、図３（Ａ）に示すように、レール３４等をガイドレール２２に嵌合され、且つレール３３等をガイドレール２３に嵌合されて支持されて、且つ、フランジ３５，４５，５５、６５をねじ３８．４８．５８、６８でねじ孔板２６のねじ孔２９にねじ止めされ、フランジ３６，４６，５６、６７をねじ３９，４９，５９、６９でねじ孔板２６のねじ孔２９にねじ止めされてシェルフ本体２１から抜け出すことを防止されて、シェルフ本体２１に実装される。シェルフ２１は、分散補償ファイバモジュール３０、４０、５０、６０がシェルフ本体２１内に一杯に隙間なく実装された状態となっている。
【００１９】
【発明が解決しようとする課題】
ここで、分散補償量は信号波長に応じて相違し、用意される分散補償ファイバの長さは分散補償量に対応した長さである。よって、特に、第２のサイズの分散補償ファイバモジュール４０、第３のサイズの分散補償ファイバモジュール５０、及び第４のサイズの分散補償ファイバモジュールのなかには分散補償ファイバ４１、５１、６１がリール４２、５２、６２にフルに巻かれていないものもある。このような分散補償ファイバモジュールについては、モジュール内部の空間に余裕があって無駄があるため、幅を狭くして、小型化を図ることが可能である。例えば、幅が幅Ａの１．５倍であって、分散補償ファイバがリールにフルに巻かれている分散補償ファイバモジュール７０、幅が幅Ａの２．５倍であって、分散補償ファイバがリールにフルに巻かれている分散補償ファイバモジュール８０、或いは、幅が幅Ａの３．５倍であって、分散補償ファイバがリールにフルに巻かれている分散補償ファイバモジュール９０を用意することも可能である。
【００２０】
上記の分散補償ファイバモジュール３０，４０，５０、６０と、新たに用意した分散補償ファイバモジュール７０、８０，９０とを併せてシェルフ本体２１に実装すると、図３（Ｂ）に示すようになる。シェルフ本体２１に実装された分散補償ファイバモジュールの数は同じであり、増えない。
【００２１】
なお、幅が幅Ａの整数倍でないモジュール７０，８０、９０の隣りには、隙間１００ができており、分散補償ファイバモジュールはシェルフ本体２１内に効率良く実装されてはいない。上記の隙間１００ができる理由は、ガイドレール２２、２３がシェルフ本体２１に固定であるからである。
【００２２】
そこで、本発明は、上記課題を解決したシェルフ装置を提供することを目的とする。
【００２３】
【課題を解決するための手段】
請求項１の発明は、複数のモジュールがシェルフ内に横方向に並んで実装されている構成のシェルフ装置において、
上記各モジュールは、上記モジュールの下面に設けてある下側ガイドレールと上面に設けてある上側ガイドレールを有する構成であり、
該各モジュールは、その下側ガイドレールを隣のモジュールの下側ガイドレールに案内され且つその上側ガイドレールを隣のモジュールの上側ガイドレールに案内されて上記シェルフ内に挿入され、且つ、
各モジュールは、上記下側ガイドレール同士が嵌合し合って且つ上記上側ガイドレール同士が嵌合し合って上記シェルフ内で横方向に連結されている構成としたものである。
【００２４】
任意の幅寸法を有するモジュールを隣同士のモジュールの間に隙間を有しないで実装可能となる。即ち、モジュールをフリーピッチで隙間無く実装可能となる。よって、シェルフ内に従来に比べて多くの数のモジュールを実装することが可能となる。
【００２５】
また、モジュールについてみると、幅寸法を基準の幅の整数倍とする必要はなく、幅寸法を任意と出来る。よって、内部に利用されないで残っている空間のないモジュールを実現することが可能となる。
【００２７】
各モジュールは、下側と上側との離れた二箇所で連結されており、一箇所で連結した構造に比べて、構造的に堅牢となる。
【００２８】
請求項２の発明は、請求項１記載のシェルフ装置において、
上記下側ガイドレールは、その一側に断面がＵ字形状のガイドレール部を有し、反対側に断面が逆Ｕ字形状のガイドレール部を有する構成であり、
上記上側ガイドレールは、上記下側ガイドレールのＵ字形状のガイドレール部の側に断面が逆Ｕ字形状のガイドレール部を有し、上記下側ガイドレールの逆Ｕ字形状のガイドレール部の側に逆Ｕ字形状のガイドレール部を有する構成としたものである。
【００３０】
請求項４の発明は、請求項１記載のシェルフ装置において、
上記シェルフは、ガイドレール同士が嵌合し合って上記シェルフ内で横方向に連結されている各モジュールの重量を支える支持板を有する構成としたものである。
【００３１】
ガイドレール同士が嵌合し合ってシェルフ内で横方向に連結されている複数のモジュールが安定に支持される。
【００３２】
請求項３の発明は、請求項１記載のシェルフ装置において、
上記シェルフ内に横架してあるレールと、
該レールに移動可能に支持されており、該モジュールに固定される固定具とを更に有し、
該固定具が、該レールに沿って上記シェルフ内に挿入されたモジュールの個所に移動されて、その位置で該モジュールに固定される構成としたものである。
【００３３】
どの位置に挿入されているモジュールもシェルフに固定することが可能となる。
【００３４】
【発明の実施の形態】
［第１実施例］
図４乃至図７は本発明の第１実施例になる分散補償ファイバモジュールシェルフ装置１２０を示す。シェルフ装置１２０は、シェルフ１２１と、このシェルフ１２１内に挿入されてＸ２側から順次連結されてＸ１方向に隙間無く並んで実装してあるサイズの異なる分散補償ファイバモジュール２００，２１０，２２０，２３０等からなる構成である。
【００３５】
先ず、シェルフ１２１について説明する。
【００３６】
シェルフ１２１は、シェルフ本体１２２に、基部側ガイドレール１２３，１２４、モジュール支持板１２５、モジュール覆い板１２６、モジュール固定具用レール１２７、１２８が取り付けてあり、且つ、モジュール固定具用レール１２７、１２８に複数のモジュール固定具１２９，１３０が支持されている構成である。
【００３７】
シェルフ本体１２２は、前面が開口１４０である直方体形状の箱であり、底板１４１、天板１４２、側板１４３，１４４及び背面板１４５とを有し、所定の幅Ｗ１を有しており、所定の大きさを有する。
【００３８】
モジュール支持板１２５は、平板であり、シェルフ本体１２２の底板１４１の上側の位置に固定してあり、実装された分散補償ファイバモジュール２００，２１０，２２０，２３０等の重量を支える。
【００３９】
モジュール覆い板１２６は、平板であり、シェルフ本体１２２の天板１４２の下側の位置に固定してあり、実装された分散補償ファイバモジュール２００，２１０，２２０，２３０等の上側を覆う。
【００４０】
下側の基部側ガイドレール１２３は、モジュール支持板１２５の上面のＸ２側の端に固定されており、側板１４３の内面側に位置しており、図１０に示すように、Ｘ１側に断面がＵ字形状のガイドレール部１２３ａを有する。
【００４１】
上側の基部側ガイドレール１２４は、モジュール覆い板１２６の下面のＸ２側の端に固定されており、側板１４３の内面側に位置しており、図１０に示すように、Ｘ１側に断面が逆Ｕ字形状のガイドレール部１２４ａを有する。
【００４２】
モジュール固定具用レール１２７は、断面が円の棒であり、モジュール支持板１２５の高さ位置に、両端側板１４３，１４４にねじ止めされて側板１４３，１４４間に横架してあり、図１１（Ａ）乃至（Ｃ）に示すモジュール固定具１２９が複数嵌合してある。モジュール固定具１２９は、レール１２７に緩く嵌合しているリング部１２９ａと、リング部１２９ａから延びているラグ部１２９ｂと、ラグ部１２９ｂに付いている止めねじ１２９ｃとよりなる構成である。モジュール固定具１２９は、レール１２７に沿ってＸ１-Ｘ２方向に自由に移動可能であり、且つ、レール１２７を中心に回転可能である。モジュール固定具１２９は、通常は、図８に示すように、ラグ部１２９ｂがＺ２側に位置しており、止めねじ１２９ｃの頭部１２９ｃ１がＹ１側を向き、ねじ部１２９ｃ２がＹ２側を向く姿勢をとっている。
【００４３】
モジュール固定具用レール１２８は、断面が円の棒であり、覆い板１２６の高さ位置に、両端側板１４３，１４４にねじ止めされて側板１４３，１４４間に横架してあり、図１１（Ａ）乃至（Ｃ）に示すモジュール固定具１３０が複数嵌合してある。モジュール固定具１３０は、上記のモジュール固定具１２９と同じものであり、リング部１３０ａがレール１２８に緩く嵌合しており、ラグ部１３０ｂに止めねじ１３０ｃが付いている構成である。モジュール固定具１３０は、レール１２８に沿ってＸ１-Ｘ２方向に自由に移動可能であり、且つ、レール１２８を中心に回転可能である。モジュール固定具１３０は、通常は、図８に示すように、ラグ部１３０ｂがＺ２側に位置しており、止めねじ１３０ｃの頭部１３０ｃ１がＹ２側を向き、ねじ部１３０ｃ２がＹ１側を向く姿勢をとっている。
【００４４】
次に、分散補償ファイバモジュール２００，２１０，２２０，２３０等について説明する。
【００４５】
各分散補償ファイバモジュールは分散補償ファイバが一杯に巻かれたリールが一杯に収容されている構成である。
【００４６】
光伝送路λ１〜λｎ毎に分散補償のために必要とされる分散補償ファイバの長さは相違する。分散補償ファイバをリールに巻いた状態でリールに余裕の巻き空間が残らないようにするために、即ち、分散補償ファイバがリール一杯に巻かれるようにするために、リールはサイズをすこしづつ変えて多くの種類が用意してある。よって、分散補償ファイバモジュールはリールのサイズに応じて幅を変えて複数種類が用意してある。分散補償ファイバモジュールの幅は、基本の幅の整数倍に限るものではなく、基本の幅Ｂの自然数倍でよい。分散補償ファイバモジュールの幅は、どのような寸法でもよい。
【００４７】
分散補償ファイバモジュール２００は、幅Ｂを有する。分散補償ファイバモジュール２１０は、幅Ｂの１．５倍の幅１．５Ｂを有する。分散補償ファイバモジュール２２０は、幅Ｂの２．５倍の幅２．５Ｂを有する。分散補償ファイバモジュール２３０は、幅Ｂの３．５倍の幅３．５Ｂを有する。
【００４８】
分散補償ファイバモジュール２００の内部には、所定の長さＭ１の分散補償ファイバ２０１がリール２０２に巻かれて収容されている。分散補償ファイバモジュール２１０の内部には、上記の長さＭ１より長い長さＭ２の分散補償ファイバ２１１がリール２１２に一杯に巻かれて収容されている。分散補償ファイバモジュール２２０の内部には、上記の長さＭ２より長い長さＭ３の分散補償ファイバ２２１がリール２２２に一杯に巻かれて収容されている。分散補償ファイバモジュール２３０の内部には、上記の長さＭ３より長い長さＭ４の分散補償ファイバ２３１がリール２３２に一杯に巻かれて収容されている。各分散補償ファイバモジュール２００，２１０，２２０，２３０の内部には余分な空間はない。
【００４９】
図示は省略してあるけれども、上記の分散補償ファイバモジュール２００，２１０，２２０，２３０に加えて、幅の相違する分散補償ファイバモジュール、例えば幅Ｂの整数倍の幅を有する分散補償ファイバモジュール、及び幅Ｂの非整数倍であり、１．５、２．５、３．５倍以外の倍の幅を有する分散補償ファイバモジュールが用意してある。
【００５０】
図１２に併せて示すように、分散補償ファイバモジュール２００、２１０、２２０、２３０には、中段部に光コネクタ２４０が設けてあり、下面には図１０に示す下側ガイドレール２５０，２６０がねじ２５１によって固定してあり、上面には図１０に示す上側ガイドレール２７０，２８０がねじ２７１によって固定してある。
【００５１】
下側ガイドレール２５０は、幅Ｂより少し広い幅Ｃ１を有し、Ｘ２側に断面が逆Ｕ字形のガイドレール部２５０ａを有し、Ｘ１側に断面がＵ字形のガイドレール部２５０ｂを有し、Ｙ２端面にねじ孔２５０ｃを有する。
【００５２】
上側ガイドレール２７０は、幅Ｃ１を有し、Ｘ２側に断面がＵ字形のガイドレール部２７０ａを有し、Ｘ２側に断面が逆Ｕ字形のガイドレール部２７０ｂを有し、Ｙ２端面にねじ孔２７０ｃを有する。
【００５３】
下側ガイドレール２５０は、分散補償ファイバモジュール２００の下面２００ａに固定してある。Ｘ２側の逆Ｕ字形のガイドレール部２５０ａはモジュール２００のＸ２側の面２００ｂと同じ位置に位置しており、Ｘ１側にＵ字形のガイドレール部２５０ｂはモジュール２００のＸ１側の面２５０ｃよりＸ１側に突き出している。
【００５４】
上側ガイドレール２７０は、分散補償ファイバモジュール２００の上面２００ｄに固定してある。Ｘ２側のＵ字形のガイドレール部２７０ａはモジュール２００のＸ２側の面２５０ｂと同じ位置に位置しており、Ｘ１側に逆Ｕ字形のガイドレール部２５０ｂはモジュール２００のＸ１側の面２００ｃよりＸ１側に突き出している。
【００５５】
上側ガイドレール２７０は、下側ガイドレール２５０を表裏を反転したものであり、下側ガイドレール２５０と同じ部材である。
【００５６】
ガイドレール２６０、２８０は、幅１．５Ｂより少し広い幅Ｃ２を有し、他は、ガイドレール２５０、２７０と同じ構造である。
【００５７】
ガイドレール２６０、２８０は、図１３（Ａ）に示すように、モジュール２１００に取り付けてある。ガイドレール２６０のＸ１側のＵ字形のガイドレール部２６０ａ及びガイドレール２８０のＸ１側の逆Ｕ字形のガイドレール部２８０ｂが、モジュール２１０のＸ１側の面２１０ｃよりＸ１側に突き出している。
【００５８】
モジュール２２０には、図１３（Ｂ）に示すように、ガイドレール２５０、２７０が二本づつ固定してある。
【００５９】
Ｘ２側のガイドレール２５０-１、２７０-１は、モジュール２２０のＸ２側の面２２０ｂに一致してあり、Ｘ１側のガイドレール２５０-２、２７０-２は、モジュール２２０のＸ１側の面２２０ｃから突き出ている。
【００６０】
モジュール２３０には、図１３（Ｃ）に示すように、ガイドレール２５０、２７０が三本づつ固定してある。
【００６１】
Ｘ２側のガイドレール２５０-１１、２７０-１１は、モジュール２３０のＸ２側の面２２０ｂに一致してあり、Ｘ１側のガイドレール２５０-１３、２７０-１３は、モジュール２３０のＸ１側の面２３０ｃから突き出ている。
【００６２】
次に、分散補償ファイバモジュール２００等のシェルフ１２１内への実装について説明する。
【００６３】
説明の便宜上、分散補償ファイバモジュール２００、２１０，２２０，２３０の順で実装すると場合について説明する。
【００６４】
最初に、モジュール２００が、図８及び図１４（Ａ）に示すように、下側ガイドレール２５０の逆Ｕ字形のガイドレール部２５０ａを基部側ガイドレール１２３のＵ字形状のガイドレール部１２３ａに嵌合させこれに案内されて、且つ上側ガイドレール２７０のＵ字形のガイドレール部２７０ａを基部側ガイドレール１２４の逆Ｕ字形状のガイドレール部１２４ａに嵌合させこれに案内されて、Ｙ１方向に挿入される。背面板１４５に当たる最終位置まで挿入された状態で、モジュール２００は、下側については、ガイドレール部２５０ａとガイドレール部１２３ａとが嵌合し、上側については、ガイドレール部２７０ａとガイドレール部１２４ａとが嵌合することによって、基部側ガイドレール１２３、１２４と連結された状態となる。
【００６５】
次いで、モジュール２１０が、図１４（Ｂ）に示すように、下側ガイドレール２６０の逆Ｕ字形のガイドレール部２６０ａをガイドレール２５０のＵ字形状のガイドレール部２５０ｂに嵌合させこれに案内されて、且つ上側ガイドレール２８０のＵ字形のガイドレール部２８０ａをガイドレール２７０の逆Ｕ字形状のガイドレール部２７０ｂに嵌合させこれに案内されて、Ｙ１方向に挿入される。最終位置まで挿入された状態で、モジュール２１０は、下側については、ガイドレール部２６０ａとガイドレール部２５０ｂとが嵌合し、上側については、ガイドレール部２８０ａとガイドレール部２７０ｂとが嵌合することによって、モジュール２００と接触してモジュール２００のＸ１側に連結された状態となる。
【００６６】
次いで、モジュール２２０が、図１４（Ｃ）に示すように、下側ガイドレール２５０-１の逆Ｕ字形のガイドレール部２５０-１ａをガイドレール２６０のＵ字形状のガイドレール部２６０ｂに嵌合させこれに案内されて、且つ上側ガイドレール２７０-１のＵ字形のガイドレール部２７０-１ａをガイドレール２８０の逆Ｕ字形状のガイドレール部２８０ｂに嵌合させこれに案内されて、Ｙ１方向に挿入される。最終位置まで挿入された状態で、モジュール２２０は、下側については、ガイドレール部２５０-１ａとガイドレール部２６０ｂとが嵌合し、上側については、ガイドレール部２７０-１ａとガイドレール部２８０ｂとが嵌合することによって、モジュール２１０と接触してモジュール２１０のＸ１側に連結された状態となる。
【００６７】
次いで、モジュール２３０が、図１４（Ｄ）に示すように、下側ガイドレール２５０-１１の逆Ｕ字形のガイドレール部２５０-１１ａをガイドレール２６０-２のＵ字形状のガイドレール部２６０-２ｂに嵌合させこれに案内されて、且つ上側ガイドレール２７０-１１のＵ字形のガイドレール部２７０-１１ａをガイドレール２８０-２の逆Ｕ字形状のガイドレール部２８０-２ｂに嵌合させこれに案内されて、Ｙ１方向に挿入される。最終位置まで挿入された状態で、モジュール２３０は、下側については、ガイドレール部２５０-１１ａとガイドレール部２６０-２ｂとが嵌合し、上側については、ガイドレール部２７０-１１ａとガイドレール部２８０-２ｂとが嵌合することによって、モジュール２２０と接触してモジュール２２０のＸ１側に連結された状態となる。
【００６８】
これによって、Ｘ１側からＸ２方向に分散補償ファイバモジュール２００、２１０，２２０，２３０が連結されて並んだ状態となる。
【００６９】
他のサイズの分散補償ファイバモジュールも上記と同様にしてＸ１側に連結される。また、挿入の順番は上記に限らず、自由でよい。即ち、分散補償ファイバモジュールはフリーピッチで実装される。
【００７０】
下面のガイドレール２５０，２７０等がモジュール支持板１２５上に載っており、Ｘ１-Ｘ２方向に連結されている分散補償ファイバモジュール２００、２１０，２２０，２３０の重量はモジュール支持板１２５によって支えられている。
【００７１】
また、図９に示すように、モジュール固定具１２９をレール１２７に沿って適宜移動させガイドレール２５０，２６０等の位置に合わせ、上方へ１８０度回して、ラグ部１２９ｂをガイドレール２５０，２６０等の端面に当て、止めねじ１２９ｃをねじ孔２５０ｃ，２６０ｃにねじ込んで固定する。同じく、モジュール固定具１３０をレール１２８に沿って適宜移動させガイドレール２７０，２８０等の位置に合わせ、下方へ２７０度回して、ラグ部１３０ｂをガイドレール２７０，２８０等の端面に当て、止めねじ１３０ｃをねじ孔２７０ｃ，２８０ｃにねじ込んで固定する。これによって、モジュール２００、２１０，２２０，２３０はシェルフ本体１２２から抜け出すＹ２方向の移動を制限されている。
【００７２】
これによって、図５、図６、及び図７（Ｂ）に示すように、サイズの異なる分散補償ファイバモジュール２００、２１０，２２０，２３０等が、シェルフ１２１内に、Ｘ２側から順次連結されてＸ１方向に隙間無く並んでおり、且つ、シェルフ１２１から抜け出さないように固定されている。また、止めねじ１２９ｃ，１３０ｃを締めることによって、リング部１２９ａ，１３０ａが夫々レール１２７、１２８を締めてモジュール固定具１２９、１３０は夫々レール１２７、１２８に固定される。
【００７３】
なお、図８に示すように、モジュール固定具１２９はモジュール２００等の挿入する通路内に突き出していない。よって、モジュール固定具１２９はモジュール２００等のシェルフ１２１内への挿入を妨害しない。モジュール固定具１３０は、ラグ部１３０ｂがモジュール２００等の挿入する通路内に突き出している。しかし、モジュール２００等の挿入する過程で、ラグ部１３０ｂがモジュール２００等によって押されて反時計方向に回動され、モジュール２００等の挿入する通路の外に移動される。モジュール２００等のシェルフ１２１内への挿入は、モジュール固定具１３０によって妨害されることなく行なわれる。
【００７４】
なお、モジュール２００等をシェルフ１２１の外に引き出す操作は、上記と逆の順序で行えばよい。
［第２実施例］
図１５は本発明の第２実施例になる分散補償ファイバモジュールシェルフ装置１２０Ａを示す。シェルフ装置１２０Ａは、シェルフ１２１Ａと、このシェルフ１２１Ａ内に挿入されてＸ２側から順次連結されてＸ１方向に隙間無く並んで実装してあるサイズの異なる分散補償ファイバモジュール２００Ａ等とからなる構成である。シェルフ装置１２０Ａは、前記の図４等に示すシェルフ装置１２０とは、モジュール２００Ａ等をシェルフ１２１Ａから抜け出さないように固定する機構が相違する。
【００７５】
シェルフ１２１Ａについてみると、上記モジュール固定具用レール１２７、１２８に代えて、図１７（Ａ）乃至（Ｃ）に示すモジュール固定駒用レール３００、３１０が設けてある。このモジュール固定駒用レール３００、３０１は、略Ｃ字形状の断面を有する。レール３００、３０１内に、複数のモジュール固定駒３１０，３１５がＸ１-Ｘ２方向にスライド可能に設けてある。モジュール固定駒３１０，３１５に、止めねじ３１１、３１６が緩くねじ込んである。
【００７６】
分散補償ファイバモジュール２００Ａについてみると、上下のガイドレール２５０，２７０のＹ２側の端に、夫々矩形状の板部材３２０、３３０がねじ３２１によって固定されている。矩形状の板部材３２０、３３０には、孔３２０ａ、３３０ａが形成してある。
【００７７】
作業者は、止めねじ３１１、３１６を一旦弛めて外し、モジュール固定駒３１０，３１５をモジュール２００Ａの位置に移動させ、止めねじ３１１、３１６を板部材３２０、３３０の孔３２０ａ、３３０ａを通してモジュール固定駒３１０，３１５にねじ込んで締める。
【００７８】
これによって、モジュール固定駒３１０，３１５がレール３００、３０１内に固定され、モジュール２００Ａはモジュール固定駒３１０，３１５に固定された状態となる。
（付記１）  前面が開口である箱形状のシェルフ内に、前面の開口側からモジュールが挿入されて、複数のモジュールがシェルフ内に横方向に並んで実装されている構成のシェルフ装置において、
上記各モジュールは、ガイドレールを有する構成であり、
該各モジュールは、そのガイドレールを隣のモジュールのガイドレールに案内されて上記シェルフ内に挿入され、且つ、隣り合うモジュールのガイドレール同士が嵌合し合って上記シェルフ内で横方向に連結されている構成としたことを特徴とするシェルフ装置。
（付記２）  付記１記載のシェルフ装置において、
上記ガイドレールは、上記モジュールの下面に設けてある下側ガイドレールと上面に設けてある上側ガイドレールとよりなり、
各モジュールは、上記の下側ガイドレール同士が嵌合し合って且つ上記の上側ガイドレール同士が嵌合し合っている連結されている構成としたことを特徴とするシェルフ装置。
（付記３）  付記２記載のシェルフ装置において、
上記下側ガイドレールは、その一側に断面がＵ字形状のガイドレール部を有し、反対側に断面が逆Ｕ字形状のガイドレール部を有する構成であり、
上記上側ガイドレールは、上記下側ガイドレールのＵ字形状のガイドレール部の側に断面が逆Ｕ字形状のガイドレール部を有し、上記下側ガイドレールの逆Ｕ字形状のガイドレール部の側に逆Ｕ字形状のガイドレール部を有する構成としたことを特徴とするシェルフ装置。
（付記４）  付記１記載のシェルフ装置において、
上記シェルフは、ガイドレール同士が嵌合し合って上記シェルフ内で横方向に連結されている各モジュールの重量を支える支持板を有する構成としたことを特徴とするシェルフ装置。
（付記５）  付記１記載のシェルフ装置において、
上記シェルフ内に横架してあるレールと、
該レールに移動可能に支持されており、該モジュールに固定される固定具とを更に有し、
該固定具が、該レールに沿って上記シェルフ内に挿入されたモジュールの個所に移動されて、その位置で該モジュールに固定される構成としたことを特徴とするシェルフ装置。
（付記６）  付記５記載のシェルフ装置において、
上記固定具は止めねじを有し、
該止めねじ締めると、該止めねじが上記モジュールにねじ込まれ、且つ、該固定具を上記レールに固定する構成としたことを特徴とするシェルフ装置。
（付記７）  付記１記載のシェルフ装置において、
上記シェルフは、側板側の位置に、該シェルフに最初に挿入されるモジュールのガイドレールが嵌合する基部側ガイドレールを有する構成としたことを特徴とするシェルフ装置。
（付記８）  前面が開口である箱形状のシェルフ内に、前面の開口側からモジュールが挿入されて、複数のモジュールがシェルフ内に横方向に並んで実装されている構成のシェルフ装置において、
上記各モジュールは、分散補償ファイバがリールに巻かれて収容されており、且つ、ガイドレールを有する構成であり、
該各モジュールは、そのガイドレールを隣のモジュールのガイドレールに案内されて上記シェルフ内に挿入され、且つ、隣り合うモジュールのガイドレール同士が嵌合し合って上記シェルフ内で横方向に連結されている構成としたことを特徴とするシェルフ装置。
（付記９）  付記８のシェルフ装置を備えた構成としたことを特徴とする波長分割多重伝送システム。
（付記１０）  前面が開口である箱形状のシェルフ内に、前面の開口側から挿入されて実装されるモジュールにおいて、
分散補償ファイバがリールに巻かれて収容されており、
且つ、下面に下側ガイドレール、上面に上側ガイドレールが設けてある構成としたことを特徴とする分散補償ファイバモジュール。
【００７９】
【発明の効果】
以上説明したように、請求項１の発明は、複数のモジュールがシェルフ内に横方向に並んで実装されている構成のシェルフ装置において、シェルフがガイドレールを有する代わりに、各モジュールがガイドレールを有する構成であり、各モジュールがそのガイドレール同士が嵌合し合ってシェルフ内で横方向に連結されている構成としたものであるため、どのような幅寸法を有するモジュールでも問題なく実装することが出来る。即ち、任意の幅寸法を有するモジュールを隣同士のモジュールの間に隙間を有しないで実装することが出来、モジュールをフリーピッチで実装することが出来る。
【００８０】
また、モジュールについてみると、幅寸法を基準の幅の整数倍とする必要はなく、幅寸法を任意と出来る。よって、内部に利用されないで残っている無駄な空間が少ない構成のモジュールを実現することが可能となる。このようなモジュールを使用することによって、シェルフ内に従来に比べて多くの数のモジュールを実装することが出来る。
【００８１】
また、ガイドレールは、上記モジュールの下面に設けてある下側ガイドレールと上面に設けてある上側ガイドレールとよりなり、各モジュールは、下側ガイドレール同士が嵌合し合って且つ上側ガイドレール同士が嵌合し合っている連結されている構成としたものであるため、各モジュールは下側と上側との離れた二箇所で連結され、一箇所で連結した構造に比べて、構造的に堅牢となる。
【００８２】
請求項２の発明は、請求項１記載のシェルフ装置において、下側ガイドレールは、その一側に断面がＵ字形状のガイドレール部を有し、反対側に断面が逆Ｕ字形状のガイドレール部を有する構成であり、上側ガイドレールは、下側ガイドレールのＵ字形状のガイドレール部の側に断面が逆Ｕ字形状のガイドレール部を有し、下側ガイドレールの逆Ｕ字形状のガイドレール部の側に逆Ｕ字形状のガイドレール部を有する構成としたものであるため、下側ガイドレールを表裏反転すると上側ガイドレールとなり、下側ガイドレールと上側ガイドレールとの部品の共通化が図られる。
【００８４】
請求項３の発明は、請求項１記載のシェルフ装置において、シェルフ内に横架してあるレールと、レールに移動可能に支持されており、該モジュールに固定される固定具とを更に有し、該固定具が、該レールに沿って上記シェルフ内に挿入されたモジュールの個所に移動されて、その位置で該モジュールに固定される構成としたものであるため、シェルフ内のどの位置に挿入されているモジュールもシェルフに固定すること出来る。
【図面の簡単な説明】
【図１】ＷＤＭ伝送システムの分散補償中継局の構成を示す図である。
【図２】従来の分散補償ファイバモジュールシェルフ装置を分解して示す斜視図である。
【図３】従来の分散補償ファイバモジュールシェルフ装置の正面図である。
【図４】本発明の第１実施例になる分散補償ファイバモジュールシェルフ装置の分解斜視図である。
【図５】図４のシェルフ装置の斜視図である。
【図６】図５のシェルフ装置をそのシェルフ本体を一部切除して示す斜視図である。
【図７】図４のシェルフ装置の正面図である。
【図８】モジュールの実装途中の状態を示す図である。
【図９】モジュールが実装された状態を示す側面図である。
【図１０】ガイドレールを示す図である。
【図１１】モジュール固定具を示す図である。
【図１２】図４中のモジュール２００を示す図である。
【図１３】図４中のモジュール２１０、２２０，２３０を示す図である。
【図１４】モジュールの実装の進行の状態を示す図である。
【図１５】本発明の第２実施例になる分散補償ファイバモジュールシェルフ装置の分解斜視図である。
【図１６】モジュールのシェルフへの固定機構を示す図である。
【図１７】レール及びスライド駒を示す図である。
【図１８】ガイドレールを示す図である。
【符号の説明】
１２０、１２０Ａ  分散補償ファイバモジュールシェルフ装置
１２１  シェルフ
１２２  シェルフ本体
１２３，１２４  基部側ガイドレール
１２５  モジュール支持板
１２６  モジュール覆い板
１２７，１２８  モジュール固定具用レール
１２９，１３０  モジュール固定具
１２９ａ、１３０ａ  リング部
１２９ｂ、１３０ｂ  ラグ部
１２９ｃ、１３０ｃ  止めねじ
２００、２１０，２２０，２３０  分散補償ファイバモジュール
２０１  分散補償ファイバ
２０２  リール
２５０，２６０  下側ガイドレール
２５０ａ，２６０ａ  逆Ｕ字形のガイドレール部
２５０ｂ，２６０ｂ  Ｕ字形のガイドレール部
２７０，２８０  上側ガイドレール
２７０ａ，２８０ａ  Ｕ字形のガイドレール部
２７０ｂ，２８０ｂ  逆Ｕ字形のガイドレール部
【図１】
0003964638.tif 000002
【図２】
0003964638.tif 000003
【図３】
0003964638.tif 000004
【図４】
0003964638.tif 000005
【図５】
0003964638.tif 000006
【図６】
0003964638.tif 000007
【図７】
0003964638.tif 000008
【図８】
0003964638.tif 000009
【図９】
0003964638.tif 000010
【図１０】
0003964638.tif 000011
【図１１】
0003964638.tif 000012
【図１２】
0003964638.tif 000013
【図１３】
0003964638.tif 000014
【図１４】
0003964638.tif 000015
【図１５】
0003964638.tif 000016
【図１６】
0003964638.tif 000017
【図１７】
0003964638.tif 000018
【図１８】
0003964638.tif 000019